(57)【要約】【課題】不用意に手などが当たってもストロボ装置が脱落することがなく、アクセサリシューによりカメラに接続したストロボ装置を、簡単かつ安全に取り外すことができるストロボ装置を提供する。【解決手段】アクセサリシュー５００のロック解除時、レバー部２０２に指をおいたその位置にロック解除ボタン２０１があるので、該ロック解除ボタン２０１を押しつつレバー部２０２を操作することにより、容易にアクセサリシュー５００のロック状態を解除する。【選択図】図２
2008180914.tif 000002
【特許請求の範囲】
【請求項１】
被写体を照明する発光部を支持しもしくは一体的に備える本体部からなり、前記本体部をカメラ部に係止するための係止手段を前記本体部に設けたストロボ装置であって、
前記係止手段による前記係止を固定する第１の状態と前記係止を開放する第２の状態との間を状態変化する係止状態変化機構と、
前記第１の状態から前記第２の状態への状態変化を禁止するとともに、前記状態変化の禁止を解除する状態変化禁止解除機構とを有する
ことを特徴とするストロボ装置。
【請求項２】
前記係止状態変化機構は、
前記本体部の底面側に設けられ下方に開口する平面形状円形の凹部を有する基台と、
前記基台の凹部に嵌合する円環形状で、外周面に突出するレバー部が形成され内周面に下方に斜面を有するカム部が形成された横カムレバー体と、
上方に付勢された状態で前記カム部に当接して前記カム部の斜面高さに沿って上下可動する当接部を有する可動部と、
前記横カムレバー体の回動による前記可動部の下方への可動により、前記可動部とでカメラ側のホットシューを挟み込むことによりカメラに結合する結合板とからなる
ことを特徴とする請求項１記載のストロボ装置。
【請求項３】
前記状態変化禁止解除機構は、
前記基台の凹部内の外周近辺に、円弧状で、その一方の端部に一時係止溝が形成され、他方の端部に係止溝が形成された嵌合溝と、
前記横カムレバー体の円環形状上面に外側に付勢された状態で載置され、前記嵌合溝に嵌合する嵌合部を有するロック解除ボタンとからなり、
前記ロック解除ボタンの前記嵌合部が前記係止溝にあるときに、前記ロック解除ボタンを押圧することにより前記横カムレバー体の回動ロック状態を解除する
ことを特徴とする請求項２記載のストロボ装置。
【請求項４】
前記ロック解除ボタンは、
前記レバー部の係止開放方向の反対側の直近に配置し、前記円環形状部からの突出量を前記レバー部よりも抑えた
ことを特徴とする請求項３記載のストロボ装置。
【発明の詳細な説明】
【技術分野】
【０００１】
本発明は、写真撮影の際に被写体を照明する人工照明光源として有用されているストロボ装置に関し、特に本体部をカメラ部に係止するための係止機能を備えたストロボ装置に関するものである。
【背景技術】
【０００２】
従来から、写真撮影の際に被写体を照明する人工照明光源としてストロボ装置は有用されているが、そのようなストロボ装置には、アクセサリシューにより本体部をカメラ部に係止することができる係止機能が備えられている。
【０００３】
そのような従来のストロボ装置について説明する。
図１２は従来のストロボ装置の概略構成を示す外観斜視図である。図１２に示すように、このストロボ装置は、バウンス機能を備えており、発光部１００が連結部２００を介して本体部３００に連結、支持されており、通常、本体部３００のアクセサリシュー５００を介して、発光部１００の発光窓部が被写体に正対する状態で図示しないカメラ本体に装着され、カメラ本体に対して電気的に接続されるとともに固定され、かかる状態を基本として、発光部１００が連結部２００を中心に本体部３００に対して水平方向（左右方向）および垂直方向（上下方向）に回動自在に支持される。また、発光部１００の一方の側面に設けられている操作部材４００は、撮影者が手動操作にて発光部１００の垂直方向への回動動作の禁止状態（バウンスロック状態）を解除するための部材である。また回動動作は、通常、その回動範囲内の適当な回動位置にて、発光部１００が一時的に係止できるように成されている。
【０００４】
上記の回動動作により、ストロボ装置は、発光部１００の発光窓部から射出される照明光の照射方向を、被写体に対して所望の水平方向および垂直方向に可変および設定できるように構成されている。
【０００５】
上記のようにカメラによる撮影の際の人工照明光源としてストロボ装置が広く利用されているが、前述したバウンス機能の他に、図１２に示すように、アクセサリシュー５００により本体部３００を図示しないカメラ本体部に設けられたホットシューに係止することができるストロボ装置係止機能などが備えられている。
【０００６】
このようなストロボ装置係止機能を実現するために、ストロボ装置に設けられたアクセサリシュー５００として、特許文献１には、ホットシューへの接続部構造が横カムレバー方式であり、接続部のホットシューへの装着時には、接続部の挿入部がホットシューに挿入され、操作手段を操作することにより、弾性部材の接触部がホットシューの内壁側面に押圧され、これにより本体部がホットシューに強固に固定され、一方、本体部のホットシューからの離脱時には、操作手段を操作することにより、弾性部材の接触部がホットシューの内壁側面への押圧から解除され、本体部をホットシューから離脱することが可能になるように構成した例が示されている。
【０００７】
その他には特許文献２に示すものがあるが、この特許文献２には、三脚とカメラとの接続用シューとして、ロック解除用のボタンを押しながらカメラをスライドさせ三脚からカメラを取り外す構成が記載されている。この接続用シューでは、ロック解除用ボタンは軽い押圧力により操作可能であり、大きな力を要求することにより誤ってカメラを落下させることがないように工夫されている。
【特許文献１】特開２００４−２０６８２号公報
【特許文献２】特開平９−２５８３０６号公報
【発明の開示】
【発明が解決しようとする課題】
【０００８】
しかしながら上記のような従来のストロボ装置では、以下のような問題点を有している。
上記特許文献１に記載のものでは、操作が簡単な反面、不用意に手などが当たってロックが解除されストロボ装置が脱落してしまうおそれがある。
【０００９】
また、特許文献２に記載のものでは、解除ボタンを押しながらカメラをスライドさせ取り外す必要があり、誤ってカメラを落下させるおそれが依然として残っている。なお、特許文献２において、カメラをストロボ装置に、三脚をカメラにそれぞれ置き換えても、同様のことが言える。
【００１０】
本発明は、上記従来の問題点を解決するもので、不用意に手などが当たってもストロボ装置が脱落することがなく、アクセサリシューによりカメラに接続したストロボ装置を、簡単かつ安全に取り外すことができるストロボ装置を提供する。
【課題を解決するための手段】
【００１１】
上記の課題を解決するために、本発明の請求項１記載のストロボ装置は、被写体を照明する発光部を支持しもしくは一体的に備える本体部からなり、前記本体部をカメラ部に係止するための係止手段を前記本体部に設けたストロボ装置であって、前記係止手段による前記係止を固定する第１の状態と前記係止を開放する第２の状態との間を状態変化する係止状態変化機構と、前記第１の状態から前記第２の状態への状態変化を禁止するとともに、前記状態変化の禁止を解除する状態変化禁止解除機構とを有することを特徴とする。
【００１２】
また、本発明の請求項２記載のストロボ装置は、請求項１記載のストロボ装置であって、前記係止状態変化機構は、前記本体部の底面側に設けられ下方に開口する平面形状円形の凹部を有する基台と、前記基台の凹部に嵌合する円環形状で、外周面に突出するレバー部が形成され内周面に下方に斜面を有するカム部が形成された横カムレバー体と、上方に付勢された状態で前記カム部に当接して前記カム部の斜面高さに沿って上下可動する当接部を有する可動部と、前記横カムレバー体の回動による前記可動部の下方への可動により、前記可動部とでカメラ側のホットシューを挟み込むことによりカメラに結合する結合板とからなることを特徴とする。
【００１３】
また、本発明の請求項３記載のストロボ装置は、請求項２記載のストロボ装置であって、前記状態変化禁止解除機構は、前記基台の凹部内の外周近辺に、円弧状で、その一方の端部に一時係止溝が形成され、他方の端部に係止溝が形成された嵌合溝と、前記横カムレバー体の円環形状上面に外側に付勢された状態で載置され、前記嵌合溝に嵌合する嵌合部を有するロック解除ボタンとからなり、前記ロック解除ボタンの前記嵌合部が前記係止溝にあるときに、前記ロック解除ボタンを押圧することにより前記横カムレバー体の回動ロック状態を解除することを特徴とする。
【００１４】
また、本発明の請求項４記載のストロボ装置は、請求項３記載のストロボ装置であって、前記ロック解除ボタンは、前記レバー部の係止開放方向の反対側の直近に配置し、前記円環形状部からの突出量を前記レバー部よりも抑えたことを特徴とする。
【発明の効果】
【００１５】
以上のように本発明によれば、アクセサリシューのロック解除時、レバー部に指をおいたその位置にロック解除ボタンがあるので、該ロック解除ボタンを押しつつレバー部を操作することにより、容易にアクセサリシューのロック状態を解除することができる。
【００１６】
また、ロック解除ボタンを、レバー部よりも突出量を抑えてレバー部の直近に設置したので、ロック解除ボタン付近に不用意に手が当たっても、ロック解除ボタンが突出量の大きいレバー部により保護される形となり、直接ロック解除ボタンに当たりにくくなり、レバー部のロック状態は保持され、結果的にアクセサリシューのロック状態も保持される。
【００１７】
その結果、ストロボ装置がカメラ本体から撮影者の意思とは関係なく不用意に脱落するという心配を軽減することができる。
【発明を実施するための最良の形態】
【００１８】
以下、本発明の実施の形態を示すストロボ装置について、図面を参照しながら具体的に説明する。
図１は本実施の形態のストロボ装置の概略構成を示す外観斜視図である。
本実施の形態におけるストロボ装置は、図１に示すように、照明光の照射方向を可変できるバウンス機能を備え、発光部１００を水平方向（左右方向）および垂直方向（上下方向）に回動できるとともに、アクセサリシューにより本体部をカメラ部に係止固定することができる係止機能を備えている。
【００１９】
その外観は、前述した図１２と同様であり、図１に示すように、発光部１００が連結部２００を介して本体部３００に連結、支持されており、通常、本体部３００のアクセサリシューを介して、発光部１００の発光窓部が被写体に正対する状態で図示しないカメラ本体に装着され、カメラ本体に対して電気的に接続されるとともに固定され、かかる状態を基本として、発光部１００が連結部２００を中心に本体部３００に対して水平方向（左右方向）および垂直方向（上下方向）に回動自在に支持されている。
【００２０】
また、図１に示すように、本体部３００をカメラ部に係止固定することができる係止機能部として、アクセサリシュー５００が、ストロボ装置における例えば本体部３００の底面側に設けられている。
【００２１】
以上のようなストロボ装置において、アクセサリシュー５００について、その詳細を以下に説明する。
図２は本実施の形態のストロボ装置におけるアクセサリシュー５００の概略構成を示す外観斜視図である。図３は本実施の形態のストロボ装置におけるアクセサリシュー５００の主要部品の組み付け手順を示す概略分解斜視図である。図４は本実施の形態のストロボ装置におけるアクセサリシュー５００を下方から見た場合の基台（実線）１と横カムレバー体２の関係説明図であり、図４（ａ）はアクセサリシューロック解除時を示し、図４（ｂ）はアクセサリシューロック時を示す。図５は本実施の形態のストロボ装置におけるアクセサリシュー５００を下方から見た場合の基台１と横カムレバー体（実線）２の関係説明図であり、図５（ａ）はアクセサリシューロック解除時を示し、図５（ｂ）はアクセサリシューロック時を示す。
【００２２】
図２、図３に示すように、アクセサリシュー５００は、基台１と、横カムレバー体２と、固定部３と、可動部４と、結合板５とからなり、基台１は、本体部３００の底面にネジ止めするための複数のネジ穴１０１を有し、横カムレバー体２は、円環形状の外側に突出するレバー部２０２と内側に形成されたカム部２０３とレバー部２０２の上面に載置されたロック解除ボタン２０１とを有し、固定部３は、横カムレバー体２の内周が嵌合する円盤部３０１とその下部に形成された平面視長方形で略直方体のガイド箱体部３０２とを有し、可動部４は、円形状の中央にガイド箱体部３０２が挿入される平面視長方形の挿入穴部４０３と円形状の外周上面に複数形成されてカム部２０３に当接する当接部４０２とを有し、結合板５は、ロックピンＬＰ１の下端部ＬＰ１１が貫通する貫通穴５０２とガイド箱体部３０２の底面にネジ止めするための複数のネジ穴５０１とを有している。
【００２３】
以上のようなアクセサリシュー５００は、図３に示すように組み付けられる。すなわち、初めに、可動部４の挿入穴部４０３を固定部３のガイド箱体部３０２の外面側に嵌合させた状態で、段付きネジＤＮ１を、付勢部材ＦＢ１に通して固定部３の円盤部３０１に形成された段付き穴３０４から貫通させ、螺着部ＤＮ１２で可動部４のネジ穴（被螺着部）４０４にネジ止めすることにより、可動部４と固定部３とを組み付ける。
【００２４】
次に、固定部３の中央に形成された凹部の複数箇所からそれぞれネジを貫通させて、結合板５のネジ穴５０１にネジ止めすることにより、結合板５をガイド箱体部３０２の底面に取り付ける。次に、横カムレバー体２に形成されたレバー部２０２の凹部２０５に、図４、図５に示すように、ロック解除ボタン２０１の突起部２０４と凹部２０５の内周側面との間に付勢部材ＦＢ３を保持した状態で、ロック解除ボタン２０１を横カムレバー体２のレバー部２０２上に載置する。
【００２５】
次に、固定部３の円盤部３０１の外周面に、横カムレバー体２の円環部の内周面を嵌合させることにより、横カムレバー体２を固定部３に組み付ける。次に、ロックピンＬＰ１の下端部ＬＰ１１を固定部３の凹部３０５に形成された貫通穴および結合板５の貫通穴５０２に挿入しながら、ロックピンＬＰ１の被係止部ＬＰ１３の下面ＬＰ１４を可動部４の係止部４０６に当接させることにより、ロックピンＬＰ１の被係止部ＬＰ１３を可動部４の係止部４０６に載置する。
【００２６】
次に、ロックピンＬＰ１の上端部ＬＰ１２からその周囲に付勢部材ＦＢ２を取り付けた後に、図４に示すように、ロックピンＬＰ１の上端部ＬＰ１２を基台１の嵌合部１０３内の嵌合凹部１１０に嵌入しながら、基台１の取付凹部１０４の内周面に横カムレバー体２の円環部の外周面を嵌合させるとともに、基台１の取付用ネジ穴１０２に固定部３の取付ボス３０３を嵌合させた状態にして、最後に、ネジを基台１の取付用ネジ穴１０２を通じて固定部３の取付ボス３０３にネジ込むことにより、基台１に固定部３を固定して、アクセサリシュー５００は組み付けられる。
【００２７】
図４、図５に示すように、横カムレバー体２に形成されたレバー部２０２の凹部２０５において、ロック解除ボタン２０１の突起部２０４と凹部２０５の内周側面との間に付勢部材ＦＢ３が保持された状態で、ロック解除ボタン２０１が横カムレバー体２のレバー部２０２上に載置されることにより、ロック解除ボタン２０１が横カムレバー体２の円環部の外側方向に付勢された状態で、ロック解除ボタン２０１の嵌合部２０１ａが基台１の取付凹部１０４内に円弧状に形成された嵌合溝１０７に嵌合され、その状態で、基台１の取付凹部１０４内に横カムレバー体２が嵌合されている。
【００２８】
ここで、図４（ａ）、図５（ａ）は、アクセサリシューロック解除時における基台１とロック解除ボタン２０１と横カムレバー体２の配置関係を示しており、レバー部２０２の凹部２０５に保持された付勢部材ＦＢ３の付勢力により、ロック解除ボタン２０１の嵌合部２０１ａが基台１の取付凹部１０４内の一時係止溝１０５内に入り込んで一時係止されている。
【００２９】
このようにアクセサリシューロック解除時においては、付勢部材ＦＢ３の付勢力により嵌合部２０１ａが一時係止溝１０５内に入り込んで一時係止されているが、この場合は、一時係止面（横カムレバー体２の回動方向に対して傾斜の面）１０６の作用により、ロック解除ボタン２０１を押圧することなくレバー部２０２をアクセサリシュー５００がロックされる方向に押圧するだけで、嵌合部２０１ａが付勢部材ＦＢ３から付勢された状態で一時係止面１０６を滑り一時係止溝１０５内から外れて、嵌合部２０１ａの一時係止状態が解放され、横カムレバー体２をレバー部２０２が図４（ｂ）、図５（ｂ）の位置にくるまで回動させることができる。
【００３０】
一方、図４（ｂ）、図５（ｂ）は、アクセサリシューロック時における基台１とロック解除ボタン２０１と横カムレバー体２の配置関係を示しており、レバー部２０２の凹部２０５に保持された付勢部材ＦＢ３の付勢力により、ロック解除ボタン２０１の嵌合部２０１ａが基台１の取付凹部１０４内の係止溝１０９内に入り込み、係止面（横カムレバー体の回動方向に対して垂直の面）１０８の作用により係止されている。
【００３１】
このようにアクセサリシューロック時においては、付勢部材ＦＢ３の付勢力により嵌合部２０１ａが係止溝１０９内に入り込んで係止されているが、付勢部材ＦＢ３の付勢力に抗してロック解除ボタン２０１を押圧することにより、嵌合部２０１ａが係止溝１０９の係止面１０８を外れて、横カムレバー体２をレバー部２０２が図４（ａ）、図５（ａ）の位置にくるまで回動させることができるようになり、嵌合部２０１ａが嵌合溝１０７内を摺動して一時係止面１０６を滑り一時係止溝１０５内に入り込むことにより、レバー部２０２が図４（ａ）、図５（ａ）のように位置した状態でアクセサリシューのロック状態を解除することができる。
【００３２】
図６は本実施の形態のストロボ装置におけるアクセサリシューロック解除時の外観側面図である。図７は本実施の形態のストロボ装置におけるアクセサリシューロック時の外観側面図である。図８は本実施の形態のストロボ装置におけるアクセサリシューロック解除時の挟圧部部分の断面図である。図９は本実施の形態のストロボ装置におけるアクセサリシューロック時の挟圧部部分の断面図である。図１０は本実施の形態のストロボ装置におけるアクセサリシューロック解除時の側面側から見た中央断面図である。図１１は本実施の形態のストロボ装置におけるアクセサリシューロック時の側面側から見た中央断面図である。
【００３３】
アクセサリシューロック解除時は、図６に示すように、横カムレバー体２のレバー部２０２が図５（ａ）の位置にあり、図示しないカメラ側のホットシューが可動部４と結合板５との間に挿入できる状態にある。
【００３４】
この状態では、図８に示すように、可動部４は、固定部３に形成された段付き穴３０４の大径穴部３０４ａにおいて、段付き穴３０４の段部３０４ｂと、固定部３の上方側から押さえ板４０５を介して螺着部ＤＮ１２で可動部４に螺着された段付きネジＤＮ１の鍔部ＤＮ１１との間で、かつ段付きネジＤＮ１の胴部（摺動面）ＤＮ１３の周囲に設けられた付勢部材ＦＢ１により、上方に付勢されており、図１０に示す当接部４０２がカム高さＨ１の位置でカム部２０３に当接することによって、付勢部材ＦＢ１の付勢力に抗して図１０に示すカム高さＨ１に対応した状態で位置決めされる。
【００３５】
このとき、図８に示すように、挟圧部４０１は、可動部４と結合板５との間に図示しないカメラ側のホットシューが無理なく挿入できる程度に下端が嵌合穴部４０７から適度に突出するように、付勢部材ＦＢ４からの下方への付勢力により嵌合穴部４０７内の所定位置で停止している。
【００３６】
またこの状態では、図１０に示すように、ロックピンＬＰ１は、上端部ＬＰ１２が嵌合凹部１１０に嵌合されて付勢部材ＦＢ２に付勢された状態で、可動部４の当接部４０２がカム高さＨ１の位置でカム部２０３に当接することによってカム高さＨ１に対応する高さにある可動部４の係止部４０６に、被係止部ＬＰ１３を係止させることにより、下端部ＬＰ１１が結合板５から下方には突出しない状態になっている。
【００３７】
一方、アクセサリシューロック時は、図７に示すように、横カムレバー体２のレバー部２０２が図５（ｂ）の位置にあり、図示しないカメラ側のホットシューが可動部４と結合板５との間で挟圧されている状態にある。
【００３８】
この状態では、図９に示すように、可動部４は、図１１に示す当接部４０２がカム高さＨ２（ただし、Ｈ１＜Ｈ２）の位置でカム部２０３に当接することによって、図１０に示すカム高さとの差（Ｈ２−Ｈ１）だけ、図８に示す位置から、付勢部材ＦＢ１の付勢力に抗して下方に移動した状態で位置決めされる。
【００３９】
このとき、図９に示すように、挟圧部４０１は、図示しないカメラ側のホットシューから付勢部材ＦＢ４の付勢力に抗して押圧されて、嵌合穴部４０７内を上方に移動するが、上端が押さえ板４０５に当接するまで移動した時点で停止することにより、その反作用で図示しないカメラ側のホットシューをさらに強く挟圧することになる。
【００４０】
またこの状態では、図１１に示すように、ロックピンＬＰ１は、上端部ＬＰ１２が嵌合凹部１１０に嵌合されて付勢部材ＦＢ２に付勢された状態で、可動部４の当接部４０２がカム高さＨ２の位置でカム部２０３に当接することによってカム高さＨ２に対応する高さにある可動部４の係止部４０６に、被係止部ＬＰ１３を係止させることにより、下端部ＬＰ１１が結合板５の貫通穴５０２を通り抜けて結合板５から下方に突出する。
【００４１】
このように、ロックピンＬＰ１の下端部ＬＰ１１が結合板５から下方に突出することにより、この突出部分が、図示しないカメラ側のホットシュー内の対応する部分に形成された凹部に嵌合して、ストロボ装置がホットシューから外れてカメラから脱落する事態をより確実に防止する。
【００４２】
上記のようなアクセサリシューロック状態から、ロック解除ボタン２０１を押圧することにより、図６に示すように横カムレバー体２のレバー部２０２を図５（ａ）の位置にして、アクセサリシュー５００を再度ロック解除した時は、可動部４と結合板５とによる挟圧が解放され、図示しないカメラ側のホットシューが可動部４と結合板５との間から取り外せる状態になる。
【００４３】
以上のように本実施の形態によれば、アクセサリシュー５００のロック解除時、レバー部２０２に指をおいたその位置にロック解除ボタン２０１があるので、該ロック解除ボタン２０１を押しつつレバー部２０２をロック解除方向に回動操作することにより、容易にアクセサリシュー５００のロック状態を解除することができる。
【００４４】
また、ロック解除ボタン２０１を、レバー部２０２よりも突出量を抑えてレバー部２０２の直近に設置したので、ロック解除ボタン２０１付近に不用意に手が当たっても、ロック解除ボタン２０１が突出量の大きいレバー部２０２により保護される形となり、直接ロック解除ボタン２０１に当たり難くなり、レバー部２０２のロック状態は保持され、結果的にアクセサリシュー５００のロック状態も保持される。
【００４５】
その結果、ストロボ装置がカメラ本体から撮影者の意思とは関係なく不用意に脱落するという心配を軽減することができる。
なお、以上において説明したアクセサリシュー５００は、上記のようなバウンス機能を有するストロボ装置に限定して適用されるものではなく、例えば本体部３００に発光部１００が一体的に設けられたストロボ装置にも適用できる。
【産業上の利用可能性】
【００４６】
本発明のストロボ装置は、アクセサリシューによりカメラに接続したストロボ装置を、簡単かつ安全に取り外すことができるもので、アクセサリシューなどにより本体部をカメラ部に係止するための係止機能を備えたストロボ装置に適用できる。
【図面の簡単な説明】
【００４７】
【図１】本発明の実施の形態のストロボ装置の概略構成を示す外観斜視図
【図２】同実施の形態のストロボ装置におけるアクセサリシューの概略構成を示す外観斜視図
【図３】同実施の形態のストロボ装置におけるアクセサリシューの組み付け手順を示す概略分解斜視図
【図４】同実施の形態のストロボ装置におけるアクセサリシューを下方から見た場合の基台（実線）と横カムレバー体の関係説明図
【図５】同実施の形態のストロボ装置におけるアクセサリシューを下方から見た場合の基台と横カムレバー体（実線）の関係説明図
【図６】同実施の形態のストロボ装置におけるアクセサリシューロック解除時の外観側面図
【図７】同実施の形態のストロボ装置におけるアクセサリシューロック時の外観側面図
【図８】同実施の形態のストロボ装置におけるアクセサリシューロック解除時の挟圧部部分の断面図
【図９】同実施の形態のストロボ装置におけるアクセサリシューロック時の挟圧部部分の断面図
【図１０】同実施の形態のストロボ装置におけるアクセサリシューロック解除時の側面側から見た中央断面図
【図１１】同実施の形態のストロボ装置におけるアクセサリシューロック時の側面側から見た中央断面図
【図１２】従来のストロボ装置の概略構成を示す外観斜視図
【符号の説明】
【００４８】
１    基台
１０１    ネジ穴
１０２    取付用ネジ穴
１０３    嵌合部
１０４    取付凹部
１０５    一時係止溝
１０６    一時係止面
１０７    嵌合溝
１０８    係止面
１０９    係止溝
１１０    嵌合凹部
２    横カムレバー体
２０１    ロック解除ボタン
２０１ａ    嵌合部
２０２    レバー部
２０３    カム部
２０４    突起部
２０５    （レバー部の）凹部
３    固定部
３０１    円盤部
３０２    ガイド箱体部
３０３    取付ボス
３０４    段付き穴
３０４ａ    大径穴部
３０４ｂ    段部
３０４ｃ    小径穴部
３０５    凹部
４    可動部
４０１    挟圧部
４０２    当接部
４０３    挿入穴部
４０４    ネジ穴（被螺着部）
４０５    押さえ板
４０６    係止部
４０７    嵌合穴部
５    結合板
５０１    ネジ穴
５０２    貫通穴
１００    発光部
２００    連結部
３００    本体部
４００    操作部材
５００    アクセサリシュー
ＤＮ１    段付きネジ
ＤＮ１１    （段付きネジの）鍔部
ＤＮ１２    （段付きネジの）螺着部
ＤＮ１３    （段付きネジの）胴部（摺動面）
ＦＢ１    付勢部材
ＦＢ２    付勢部材
ＦＢ３    付勢部材
ＦＢ４    付勢部材
ＬＰ１    ロックピン
ＬＰ１１    （ロックピンの）下端部
ＬＰ１２    （ロックピンの）上端部
ＬＰ１３    被係止部
ＬＰ１４    （被係止部の）下面
Ｎ１    ネジ
【図１】
2008180914.tif 000003
【図２】
2008180914.tif 000004
【図３】
2008180914.tif 000005
【図４】
2008180914.tif 000006
【図５】
2008180914.tif 000007
【図６】
2008180914.tif 000008
【図７】
2008180914.tif 000009
【図８】
2008180914.tif 000010
【図９】
2008180914.tif 000011
【図１０】
2008180914.tif 000012
【図１１】
2008180914.tif 000013
【図１２】
2008180914.tif 000014